(57)【要約】      （修正有）【課題】伸縮自在なチューブ状のクッションゴムの中空部に細長い糸を貫通させて構成する２重構造での釣用クッションゴムで中通し糸の結節部が切れることのない釣用クッションゴム。【解決手段】チューブ体２の中空部３の内部に縮ませて収容するチューブ体２の中通し糸４との双方の先端を結集する係合体５は棒状で長手方向の中軸上に細孔５ａとそれに続く太孔５ｂの開口するその棒状金属加工の外径がくびれ部５ｃをもつ挿入部５ｄとさらにその端子部に孔５ｅを具備した係合体５が外径にチューブ体２が固着され、その係合体５の細孔５ａに貫通し、太孔５ｂにこぶ状の結び目５ｆで双方が結合し、それらの係合体５は、サルカン６に接続されて、首糸ＡとハリスＢとの中間に介在することで、魚の引張りで釣用クッションゴム１に引張力が動き過剰な伸びのチューブ体２が、結び目５ｆが細孔５ａにもぐり込んで抜けることのない強力保持力の具備した釣用クッションゴムの係止体５の構成である。【選択図】図１
0003108841.tif 000002
【実用新案登録請求の範囲】
【請求項１】
釣竿に仕掛ける道糸（Ａ）とハリス（Ｂ）との中間に接続する釣用クッションゴム（１）が伸縮自在のチューブ体（２）の中空部（３）に中通し糸（４）を貫通し、これらの中通し糸（４）の自然長（Ｌ）が、チューブ体（２）の自然長（Ｌ’）より略２倍から３倍ないしその前後の長さに設定しそれらの中通し糸（４）は、チャーブ体（２）の中空部（３）の内部に縮ませて収容することで、双方の両端子を略同等の組付け長さにて合体する係合体（７）を具備する釣用クッションにおいて、この係合体（５）は棒状で長手方向の中軸上に細孔（５ａ）とそれに続く太孔（５ｂ）を開口し、棒状の外径はくびれ部（５ｃ）をもつ挿入部（５ｄ）と更に端子部に孔（５ｅ）を中軸上と直交して開口してなり、これらの係合体（５）は中軸上の細孔（５ａ）に貫通する中通し糸（４）の先端が、太孔（５ｂ）に達して結び目（５ｆ）のこぶ状をもって、中通し糸（４）の引張りを細孔（５ａ）でロックし、これらの双方の係合体（５）がチューブ体（２）の両サイドの中空部（３）の端子開口部に夫々の係合体（５）の挿入部（５ａ）が硬めに差込まれてくびれ部（５ｃ）にまたがって係合することで、中通し糸（４）とチューブ体（２）との双方が係合体（５）を介在することで、一体的に固着し、更にこれらの係合体（５）の端子部に開口する孔（５ｅ）にはリング体を介してサルカン（６）を接続したり、或いは孔（５ｅ）にサルカン（６）を直接続出来る係合体（５）をチューブ体（２）の中空部（３）の両サイドに具備することで、道糸（Ａ）とハリス（Ｂ）との中間にそれらを接続可能にしたことを特徴とする釣用クッションゴム。
【請求項２】
前記する中通し糸（４）をポリパラフェニレンベンズキサゾール繊維（通称サイロン）か、アラミド繊維（通称ケープラー）かポリエチレン樹脂材（通称ダイニマー）などにて、引張強度を最高レベルにしてチューブ体（２）と組合わせたことを特徴とする請求項１記載の釣用クッション。
【請求項３】
前記する中通し糸（４）の係合体（５）での太孔（５ｂ）部でのこぶ状大の結び目（５ｆ’）が細孔（５ａ）でとば口での引張り抵抗を強力にするための結び目（５ｆ’）は、１本の中通し糸（４）の先端を折り曲げ、２本合わせ（５ｇ）でのこぶ状の結び目（５ｆ’）にし、主体となる中通し糸（４）に最先端（４ａ）が固着（ｃ）することで、結び目（５ｆ’）の強度を強化したことを特徴とする請求項１及び２項記載の釣用クッションゴム。
【請求項４】
前記するチューブ体（２）の中空部（３）に液体状（７）か他の固形物を適量つめ込んで両サイドを密封し液体状（７）の外部もれのないチューブ体（２）にして、それらの比重を加減可能にしたことを特徴とする請求項１．２及び３記載の釣用クッションゴム。
【考案の詳細な説明】
【技術分野】
【０００１】本考案は釣用クッションゴムに関し、詳しくはチューブ体とその中空部に貫通する中通し糸とで構成する中芯付の釣用クッションゴムでの双方端子の結合構造での改良に関する。
【背景技術】
【０００２】此の種の従来の技術として、特願２００４−１２１２０２が知られる。これらを図５で述べるに道糸ＡとハリスＢとの中間に介在する伸縮自在の軟質材でなる釣用クッションゴム１’が、チューブ体２’の中空部３’の内部に縮ませて収容される強靭な細長い中通し糸４’を具備してなる構成である。【０００３】そして、このチューブ体２’の自然長となる全長Ｌ’よりチューブ体２’の中空部３’に収容する中通し糸４’の自然長Ｌが２倍から３倍もしくは、数倍の全長にしたもので、双方の長さでの自然長を同等長さに納めるための中通し糸４’のたるみを縮めて中空部３’内におさめたままでの双方の端子が結合される。【０００４】即ち、従来技術での実施例ではチューブ体２’の端子部の開口部にサルルカン６’が差込まれ固着され片方のリング６ａに中通し糸４’の端子部が巻き付かれれてかたく結ばれることで双方の端子の合体を構成し、サルカン６’に設けた他方のリング６ａ’の相互に夫々道糸Ａ及びハリスＢとが接続されて、釣用クッションゴムが介在されている。
【考案の開示】
【考案が解決しようとする課題】
【０００５】しかしながら、上記する従来技術での釣用クッションゴム１’では海中で魚のアタリに応じて釣用クッションゴム１’の伸縮が繰り返されるが、チューブ体２’の伸びの最長伸びの限界はチューブ体２’の中空部３’に収容してたるんでいる中通し糸４’の自然長Ｌに限定されることで、最強での引張り力は全て中通し糸４’の端子部が巻き付かれて結節されるサルカン６’のリング６ａと中通し糸４’の結節部６ｃに集中応力が負荷されて絶えずリング６ａ部の結節部６ｃが限定して切断するという課題があり結節部６ｃの改良が望まれていた。【０００６】即ち、中空部３’に収容される中通し糸４’の端末がサルカン６’に有効的に結合されることで本来最強度の中通し糸４’が結節部６ｃで切断することのない充分中通し糸４’の強度の発揮し得る結節部６ｃの改良がポイントになる。【０００７】更に他の課題となるのは、本来の目的とされる切れない釣用クッションゴム１’として最も基本となるのは、中通し糸４’の材質の選定がポイントになるのは言うまでもない。【０００８】これらの中通し糸４’が仮に太さをもって強体にすることは、及ばずながら、中空部３’の収容スペースを広くしなければならなず自ずからチューブ体２’が無限に太くしなければならないという欠点が発生し、そのチューブ体２’のクッション性が極度に悪化することで、釣用クッションゴムとしての役割を大きく脱逸するからである。【０００９】即ち本考案では実験的に最適な材質面でのテストの結果請求項２として従来技術での非伸縮性のポリエチレン系もしくはナイロン系以外での中通し糸４’の選定を課題とした。【００１０】次にまた、これらの釣用クッションゴムとしての海中での様々な魚類のタナに整合して迅速にそのタナに達する比重で且つタナに達した時点で魚の群れに恐怖感を与えない自然体での海中での釣用クッションゴム１’の動きが強く要望される。
【課題を解決するための手段】
【００１１】この考案はかかるいくつかの欠点ともなる課題を解決するために、請求項１での考案にて、図１にて述べるように、釣竿に仕掛ける道糸ＡとハリスＢとの中間に接続する釣用クッションゴム１が、伸縮自在のチューブ体２の中空部３に中通し糸４を通し、これらの中通し糸４の自然長Ｌが、チューブ体２の自然長Ｌ’より２倍から３倍ないしその前後の長さに設定し、それらの中通し糸４はチューブ体２の中空部３の内部に縮ませて収容し、魚の引張り力が釣用クッションゴム１に作用する時、チューブ体２の伸縮長さが徐々に拡張しその引張力の作用でチューブ体２の中空部３にたるんでいる中通し糸４が自然長Ｌ伸びに到達して始めてチューブ体２の蘇生限界内での最長伸びが保護される。【００１２】これらのチューブ体２に負荷された魚のアタリ、或いは引張力の繰返しは、設定された塑性限界内でのチューブ体２の自然長のため全く伸びきったり、切断したり、へたることがない。【００１３】しかしこれらの引張り荷重が魚が釣れた時、又は極度な引張り力は全て、最終的に中通し糸４の結び目５ｆに集中応力として負荷され、最強の構成でなければ強靭な通し糸４でも実力値の発揮はおよばずして結び目５ｆで切断するのは必然的である。【００１４】今解決手段として図１．２で示しているが、中通し糸４の端子部は係合体５によって集結されるが、中通し糸４とチューブ体２の双方の端末の結合は、この係合体５が棒状の金属加工で長手方向での中軸上に細孔５ａとそれに続く段差のある太孔５ｂが開口した２段孔で構成する。【００１５】これらの２段孔をもつ係合体５の外径はチューブ体２の中空部３に差込まれ、それらに固着されるためのくびれ部５ｃのもつテーパー付の挿入部５ｄによって、その挿入部５ｄは中空部３の内径よりやや太めにすることで、伸縮するチューブ体２はかたく、くびれ部５ｃに収縮し、挿入部５ｄは拡張して固着し、必要に応じて結束体が用いられる。【００１６】これらの係合体５は、中通し糸４の端末が、細孔５ａに入ってそれに続く太孔５ｂに達して、中通し糸４の端末がこぶ状に結ばれて、結び目５ｆのかたまりが、その細孔５ａで引張りがホールドされる仕組みである。【００１７】そして、係合体５によってチューブ体２と中通し糸４とは合法的に結合されることで、結び目５ｆが細孔５ａを通り抜けない限り結び目５ｆでの切断が解消されることになる。【００１８】次に請求項２での考案については材質面での改良を課題とすることで図示はせず、最も最適な中通し糸４の選択に成功したもので、従来技術での非伸縮性のポリエチレン系もしくは、ナイロン系での中通し糸４を引例としているが、本考案では、海中での諸条件とチューブ２内での中空部３にコイル状に収容されるためのくせなどが残らない高強度、更に中空部３での摩擦抵抗の少ない細く強靭且つ結び目５ｆがほどけにくいなどの特性が吟味される。【００１９】そして上記する材質のトライアルにおいて、中通し糸４が通称ナイロン繊維系或いは通称ケープラー繊維系又は、通称ダイニマー樹脂材などが最適な材質と特定されたが夫々の諸元についてのデーターは様々な釣用クッションの形態に応じて数値を異にするので省略する。【００２０】次に請求項３での考案については図３で示すが、中通し糸４のストッパーとなる結び目５ｆの最も堅剛な結び形態として、１本の中通し糸４の先端を折り返し曲げ、２本合わせ５ｇでのこぶ状の結び目５ｆにして、主体となる中通し糸４に最先端４ａを接着剤で固着させて、結び目５ｆの不測な悪条件でのほどけない構成にすることで最強な結び目５ｆにしている。【００２１】次にまた、請求項４での考案については図４で示すが、チューブ体体２の中空部３に海水などの液体状７又はツブ状などの物質を適量つめ込んで中空部３は両サイドをＯリング８などで封印し、チューブ体２の比重を加減することで釣用クッションゴム１の海中での動きをコントロールする構成である。
【考案の効果】
【００２２】本考案は上述の通り構成作用することで次の優れた効果を奏する。即ち、第１実施例で述べるように、中通し糸は金属加工での係合体に設けた細孔に通した中通し糸をこぶし状にかたく結んで結び目に強力な引張り荷重が負荷されても結び目が細孔開口部のとばくちに加圧することでこの結び目が細孔を通過しない限り結び目に負荷する引張り応力で、その結節が切断したり、伸びきったりすることのない釣用クッションゴムを提供出来る。【００２３】次に第２実施例ではチューブ体のクッション性の塑性限界を保護する中通し糸の最強の材質をチューブ体に組合わせた強力な釣用クッションゴムを提供出来る。【００２４】次に第３実施例では上記する中通し糸のこぶ状の結び目を二重糸にし、その端末が接着固着した効果的な結び目のある釣用クッションゴムを提供出来る。【００２５】更には、これらの釣用クッションゴムの中空部に詰込まれた液状などの量加減で比重を自在にコントロールの出来る釣用クッションゴムを提供出来る。
【考案を実施するための最良の形態】
【００２６】以下に図示の実施例に基づいて本考案の最良の形態を説明するに、前記課題を解決するための手段と重複するが、ここに述べるに、請求項１での本考案を図１及び図２で述べるように釣竿に仕掛ける道糸ＡとハリスＢとの中間に接続する釣用クッションゴム１が伸縮自在のチューブ体２の中空部３に中通し糸４を貫通し、これらの中通し糸４の自然長Ｌが、チューブ体２の自然長Ｌ’より略２倍から３倍ないしその前後の長さに設定する。【００２７】そして、これらの中通し糸４は、チューブ体２の中空部３の内部に縮ませて収容することで、双方の両端子を略同等の組付け長さにて合体する係合体５を具備する釣用クッションであって、それらの係合体５が改良のポイントになる。【００２８】即ち、この係合体５は金属加工でなる棒状で、軸方向に細孔５ａが開口し、その細孔５ａは中通し糸４を通す孔で、その孔は中通し糸４よりわずか太い孔径に設定される。【００２９】そしてこの細孔５ａは途中から太孔５ｂに変わることで、この太孔５ｂには中通し糸４のこぶ状の結び目５ｆが収納される空間である。【００３０】このように金属加工からなる棒状の外径はテーパー付での挿入部５ｄより若干細目のくびれ部５ｃを設け、更にその棒状の端子部に孔５ｅを中軸上と直交して開口してなり、これらの係合体５は中軸上の細孔５ａに貫通する中通し糸４の先端が太孔５ｂに達して結び目５ｆのこぶ状をもって、中通し糸４の引張作用が細孔５ａのとばくちでロックされ、中通し糸４の途中切れがない限り結び目５ｆが保持される。【００３１】そして、これらの双方の係合体５がチューブ体２の両サイドの中空部３の端子開口部に係合体５の挿入部５ｄがかためにさし込まれ、くびれ部５ｃにまたがって係合する。【００３２】このように両サイドに係合体５の具備する釣用クッションゴム１は更に係合体５に開口する孔５ｅに接続するリング体がサルカン６に接続されるが、係合体５の孔５ｅに直にサルカン６を接続も可能である。【００３３】そして、これらの釣用クッション１は道糸ＡとハリスＢとの中間に接続可能にした構成である。【００３４】次に請求項２での本考案については、最適な中通し糸４をチューブ体２と組合わせるもので、本釣用クッション１での保管などでの非使用時は、常時中通し糸４はコイル状にカールした縮み方でチューブ体２の空間部に収容され海中での魚の引張り時に、中通し糸４のカールのくせが少なく、引張力を阻害しない高強度が保持され且つ結び目５ｆのほどけにくいなどの特性が吟味され、何回となく材質面でのトライアルにおいて、通称ケープラー繊維か通称サイロン繊維や通称ダイニマー樹脂材などの強力な糸が特定されている。【００３５】次に請求項３での本考案を図３で述べるように、中通し糸４の端部の結び目５ｆによる結合体５との接続手段は、その結び目５ｆの強度を充分確保するために、１本の中通し糸４の先端を折り曲げ、２本合わせ５ｇでの強靭な結び目５ｆにし、その最先端４ａは接着剤で主体となる当該中通しにすることで、最強な結び目５ｆにしている。【００３６】次に請求項４での本考案については図４で示すが、チューブ体２の中空部３に液体状７か他のツブ状での物質を適量詰込んで夫々の両サイドを密封することで、海中での釣用クッションゴム１の全重量の加減をコントロール可能にすることで、比重をランク付けするなどして、海中での釣用クッションゴム１の魚のタナでの動きをコントロールするものである。
【図面の簡単な説明】
【００３７】
【図１】  本考案に係わる第１実施例での１部断面での全体を示す斜視図である。
【図２】  本考案に係わる第１実施例での要部断面図である。
【図３】  本考案に係わる第３実施例での要部断面図である。
【図４】  本考案に係わる第４実施例での要部断面図である。
【図５】  従来技術での一部断面での全体斜視図である。
【符号の説明】
【００３８】  Ａ            道糸
Ｂ            ハリス
Ｃ            固着
Ｌ．Ｌ’        自然長
１．１’        釣用クッションゴム
２．２’        チューブ体
３．３’        中空部
４．４’        中通し糸
４ａ          最先端
５            係合体
５ａ          細孔
５ｂ          太孔
５ｃ          くびれ部
５ｄ          挿入部
５ｅ          孔
５ｆ．５ｆ’  結び目
５ｇ          合わせ
６．６’      サルカン
７            液体状
８            オーリング
【図１】
0003108841.tif 000003
【図２】
0003108841.tif 000004
【図３】
0003108841.tif 000005
【図４】
0003108841.tif 000006
【図５】
0003108841.tif 000007